(57)【要約】【課題】施工性の向上を図り一人の作業者のみで容易に設置可能な柵のビーム取付構造を提供する。【解決手段】取付金具は柵ビーム２の端部を受ける受け金具３と該受け金具３に被せられる被せ金具４とからなり、前記受け金具３には支柱１の正面壁に取付けられる縦板状の取付部３１より斜め上方に開口する受け部３２を長手方向に延設させ、前記被せ金具４には支柱１の背面壁に取付けられる縦板状の取付部４１より斜め下方に開口する被せ部４２を長手方向に延設させ、柵ビーム２の端部を前記受け金具３の受け部３２で受けると共に、その上に被せ金具４の被せ部４２を斜め上方又は水平方向から被せるようになされているため、受け金具３を支柱１に固定した状態で、柵ビーム２を受け部３２に仮置きすることができるので、作業者一人で柵の施工を実施することができるのに加えて、作業者は被せ金具４及び柵ビーム２の固定作業を両手で行うことができるので、その作業効率も格段に向上される。【選択図】        図１
2008031824.tif 000002
【特許請求の範囲】
【請求項１】
間隔をおいて立設された２個の支柱の相対向する側壁間に取付金具を介して柵ビームが架設された柵のビーム取付構造であって、取付金具は柵ビームの端部を受ける受け金具と該受け金具に被せられる被せ金具とからなり、前記受け金具は支柱の正面壁に取付けられる縦板状の取付部より斜め上方に開口する受け部が長手方向に延設され、前記被せ金具は支柱の背面壁に取付けられる縦板状の取付部より斜め下方に開口する被せ部が長手方向に延設され、柵ビームの端部が前記受け金具の受け部で受けられると共に、その上に被せ金具の被せ部が斜め上方又は水平方向から被せられたことを特徴とする柵のビーム取付構造。
【請求項２】
間隔をおいて立設された２個の支柱の相対向する側壁間に取付金具を介して柵ビームが架設された柵のビーム取付構造であって、取付金具は柵ビームの端部を受ける受け金具と該受け金具に被せられる被せ金具とからなり、支柱の背面壁に当接される縦板状の取付部より斜め上方に開口する受け部が長手方向に延設された受け金具の取付部には、受け金具取付ボルトを用いて受け金具を支柱に固定する際に受け金具取付ボルトを挿通する受け金具取付孔が穿設されており、一方、支柱の正面側に取付けられる縦壁部より斜め下方に開口する被せ部が長手方向に延設された被せ金具の縦壁部が、受け金具を固定する受け金具取付ボルトの頭部又は受け金具取付ボルトに締結されるナットを隠蔽するようになされていることを特徴とする柵のビーム取付構造。
【発明の詳細な説明】
【技術分野】
【０００１】
本発明は道路等に設置されるパネル柵やビーム柵、メッシュフェンス柵等の柵のビーム取付構造に関するものである。
【背景技術】
【０００２】
従来、道路等に設置される防護柵として、例えば実開昭６２−１９０７１２号公報（特許文献１）に示されるような平面視略コ字状のブラケットを介して横ビームを取付けた防護柵が知られている。上記防護柵における横ビームの支柱への取付構造は、特許文献１の図面の図９に示されるように、支柱に平面視コ字状のブラケットを介して横ビームを取付ける構造であって、支柱には、ブラケットを取付けるための取付けボルトを挿通するためのボルト孔が形成され、一方、ブラケットの支柱への取付け側の面には前記取付けボルトを挿通するための孔が形成され、ブラケットの支柱取付側の面から突設された２つの面には横ビームをビーム取付ボルトをもって取付けるための貫金具取付用ボルト孔が穿設されているものである。
【０００３】
【特許文献１】実開昭６２−１９０７１２号公報
【発明の開示】
【発明が解決しようとする課題】
【０００４】
しかしながら、上記のビームの取付構造では、支柱に横ビームを取付ける際、横ビームを仮置きすることができないため、複数の作業者によって設置作業を実施しなければならず、施工性に改善の余地が残されたものであった。
【０００５】
そこで本発明は、施工性の向上を図り一人の作業者のみで容易に設置可能な柵のビーム取付構造を提供せんとするものである。
【課題を解決するための手段】
【０００６】
上記目的を達成するために、本発明は次のような構成としている。
すなわち、本発明に係る請求項１に記載の柵のビーム取付構造は、間隔をおいて立設された２個の支柱の相対向する側壁間に取付金具を介して柵ビームが架設された柵のビーム取付構造であって、取付金具は柵ビームの端部を受ける受け金具と該受け金具に被せられる被せ金具とからなり、前記受け金具は支柱の正面壁に取付けられる縦板状の取付部より斜め上方に開口する受け部が長手方向に延設され、前記被せ金具は支柱の背面壁に取付けられる縦板状の取付部より斜め下方に開口する被せ部が長手方向に延設され、柵ビームの端部が前記受け金具の受け部で受けられると共に、その上に被せ金具の被せ部が斜め上方又は水平方向から被せられたことを特徴とするものである。
【０００７】
また、本発明に係る請求項２に記載の柵のビーム取付構造は、間隔をおいて立設された２個の支柱の相対向する側壁間に取付金具を介して柵ビームが架設された柵のビーム取付構造であって、取付金具は柵ビームの端部を受ける受け金具と該受け金具に被せられる被せ金具とからなり、支柱の背面壁に当接される縦板状の取付部より斜め上方に開口する受け部が長手方向に延設された受け金具の取付部には、受け金具取付ボルトを用いて受け金具を支柱に固定する際に受け金具取付ボルトを挿通する受け金具取付孔が穿設されており、一方、支柱の正面側に取付けられる縦壁部より斜め下方に開口する被せ部が長手方向に延設された被せ金具の縦壁部が、受け金具を固定する受け金具取付ボルトの頭部又は受け金具取付ボルトに締結されるナットを隠蔽するようになされていることを特徴とするものである。
【発明の効果】
【０００８】
請求項１に記載の本発明によれば、取付金具は柵ビームの端部を受ける受け金具と該受け金具に被せられる被せ金具とからなり、前記受け金具には支柱の正面壁に取付けられる縦板状の取付部より斜め上方に開口する受け部を長手方向に延設させ、前記被せ金具には支柱の背面壁に取付けられる縦板状の取付部より斜め下方に開口する被せ部を長手方向に延設させ、柵ビームの端部を前記受け金具の受け部で受けると共に、その上に被せ金具の被せ部を斜め上方又は水平方向から被せるようになしているため、受け金具を支柱に固定した状態で、柵ビームを受け部に仮置きすることができるので、作業者一人で柵の施工を実施することができるのに加えて、作業者は被せ金具及び柵ビームの固定作業を両手で行うことができるので、その作業効率も格段に向上される。
【０００９】
更に、柵ビームを受け金具の受け部に仮置きする際、受け部が受け金具の斜め上方に開口して設けられているので、柵ビームを受け金具に対して水平方向から載置することができるため、柵ビームを受け金具の受け部の上方まで持ち上げて上方より載置する必要が無く、労力も手間もかからず簡単に柵ビームを受け金具の受け部に仮置きすることができるため、好ましい。
【００１０】
請求項２に記載の本発明によれば、支柱の背面壁に当接される縦板状の取付部より斜め上方に開口する受け部が長手方向に延設された受け金具の取付部には、受け金具取付ボルトを用いて受け金具を支柱に固定する際に受け金具取付ボルトを挿通する受け金具取付孔を穿設し、一方、支柱の正面側に取付けられる縦壁部より斜め下方に開口する被せ部が長手方向に延設された被せ金具の縦壁部を、受け金具を固定する受け金具取付ボルトの頭部又は受け金具取付ボルトに締結されるナットを隠蔽するようにしているため、受け金具取付ボルトを受け金具取付孔に挿通して受け金具を支柱の背面壁に当接・固定した後、柵ビームを受け金具の受け部に仮置きし、被せ金具を被せて取付けすれば、受け金具取付ボルトの一端が隠蔽されるので、例えば歩道と車道間に柵を設置した場合、歩道利用者が受け金具取付ボルトの突起に当たってケガをするのを防止することができ、また外観の向上を図ることができる。
【発明を実施するための最良の形態】
【００１１】
本発明の実施の形態について、図面に基づき以下に具体的に説明する。
すなわち、図１は請求項１に記載の発明に係る柵のビーム取付構造の実施の一形態を示す分解斜視図、図２は図１に示す取付金具のうち受け金具の、（イ）は正面図、（ロ）は側面図、（ハ）は平面図、図３は図１に示す取付金具のうち被せ金具の、（イ）は正面図、（ロ）は側面図、（ハ）は平面図、図４は本発明に係る柵のビーム取付構造の別の実施形態を示す分解斜視図、図５は図４に示す取付金具のうち受け金具の、（イ）は正面図、（ロ）は側面図、（ハ）は平面図、図６は図４に示す取付金具のうち被せ金具の、（イ）は正面図、（ロ）は側面図、（ハ）は平面図、図７（ａ）・（ｂ）は請求項２に記載の発明に係る柵のビーム取付構造の実施の一形態を説明する分解斜視図、図８は図７に示す取付金具のうち受け金具の、（イ）は正面図、（ロ）は側面図、（ハ）は平面図、図９は図７に示す取付金具のうち被せ金具の、（イ）は正面図、（ロ）は側面図、（ハ）は平面図である。
【００１２】
図１において、１は支柱であり、その下部は地中に埋設され適宜間隔で複数本地表に立設される。この支柱１の正面側と背面側の適宜位置に金具取付用ボルト孔１１が相対して同一水準で穿設されている。支柱１の頂部にはキャップ１２が取付られ、見栄えを良くすると共に、雨水などが支柱１の内面に流入するのを防いでいる。支柱１は断面円形状等の適宜断面形状の金属管で作製され、その表面は塗装やメッキ等の処理が施されている。また、キャップ１２下部には全周にわたって帯状の反射体Ｒが巻回されて取付けられており、視線誘導効果を呈している。
【００１３】
２は柵ビームであり、複数の支柱１の相対向する側壁間に取付金具である受け金具３と被せ金具４とを介して架設されている。柵ビーム２の端部側面には相対して同一水準で柵ビーム取付孔２１が穿設されている。柵ビーム２も、一般的に従来から用いられている断面円形状等の適宜断面形状の金属管で作製され、その表面は塗装やメッキ等の処理が施されている。
【００１４】
取付金具は前記の如く、受け金具３と被せ金具４で構成されている。受け金具３は、支柱１の正面壁に取付けられる縦板状の取付部３１より斜め上方に開口する受け部３２が両側に長手方向に延設され、柵ビーム２側面が当接する受け部３２の端部には、柵ビーム取付孔２１に対応する位置に通孔３３がそれぞれ穿設され、取付部３１の中央部には受け金具取付孔３４が穿設されている。
【００１５】
被せ金具４は、支柱１の背面壁に取付けられる縦板状の取付部４１より斜め下方に開口する被せ部４２が両側に長手方向に延設され、柵ビーム２側面が当接する受け部４２の端部には、柵ビーム取付孔２１に対応する位置に通孔４３がそれぞれ穿設され、取付部４１の中央部には貫通孔４４が穿設されている。また貫通孔４４は、前記受け金具３を支柱１に取付ける受け金具取付ボルト５のボルト頭が通過できる大きさに形成されている。
【００１６】
受け金具３の受け部３２は、柵ビーム２の断面外形形状に対応させるため、側面視斜め略４５°に円筒を切断した半円筒形に形成されている。つまり、受け部３２は斜め上方略４５°に開口している。また被せ金具４の被せ部４２は、柵ビーム２の断面外形形状に対応させるため、受け金具とは逆の側面視斜め略４５°に円筒を切断した半円筒形に形成されている。つまり、被せ部４２は斜め下方略４５°に開口している。
【００１７】
次に、柵ビーム２を支柱１に取付ける方法について説明する。
まず、支柱１の背面側に穿設された金具取付用ボルト孔１１から受け金具取付ボルト５を挿通し、支柱１を貫通して正面側に穿設された金具取付用ボルト孔１１を通して支柱１を貫通し、支柱１の正面壁に当接した受け金具３の取付部３１の中央部に穿設された受け金具取付孔３４に挿通して、ワッシャＷとナットＮとで螺着し、受け金具３を支柱１に固定する。
【００１８】
次に、受け金具３の取付部３１の両側に延設した受け部３２に２本の柵ビーム２を水平方向から載置して、柵ビーム２の仮置きが完了する。この時、上記の如く、受け金具３の受け部３２を、柵ビーム２の断面外形形状に対応するように、側面視斜め略４５°に円筒を切断した半円筒形に形成しているので、受け部３２に載置した柵ビーム２が転がり落ちるのを防ぐことができる。
【００１９】
そして、被せ金具４の被せ部４２を上方又は水平方向から柵ビーム２に被せると共に、被せ金具４の取付部４１を支柱１に当接し、被せ金具４の被せ部４２の端部に穿設された通孔４３と柵ビーム取付孔２１と受け金具３の受け部３２の端部に穿設された通孔３３とを水平方向に貫通するように、固定ボルト６を挿通してワッシャＷとナットＮとを螺着し、柵ビーム２を受け金具３及び被せ金具４を介して支柱１に取付ける。この際、取付部４１の中央部に穿設された貫通孔４４は、受け金具取付ボルト５のボルト頭が通過できる大きさにされているため、被せ金具４の取付部４１は支柱１の外面にうまく沿うように当接するのである。そして柵ビーム２の端部は、受け金具３と被せ金具４とで囲繞された状態で固定される。
【００２０】
かような柵のビーム取付構造としているので、上述の如く、受け金具３を支柱１に固定した状態で、柵ビーム２を受け部３２に仮置きすることができ、作業者一人で柵の施工を実施することができるのに加えて、作業者は被せ金具４及び柵ビーム２の固定作業を両手で行うことができるので、その作業効率も格段に向上され、また、柵ビーム２を受け金具３の受け部３２に仮置きする際、柵ビーム２を受け金具３に対して水平方向から載置することができ、柵ビーム２を受け金具３の受け部３２の上方まで持ち上げて載置する必要が無く、労力も手間もかからず簡単に柵ビーム２を受け金具３の受け部３２に仮置きすることができる。更に、受け金具取付ボルト５と固定ボルト６とを水平方向に同じ向きに取付け固定できるので、取付け作業を効率良く実施することができ、好ましい。
【００２１】
次に、図４〜６に記載の柵のビーム取付構造の別の実施形態について説明する。
図４に示す形態と図１に記載の形態とが異なる点は、支柱１の片側にのみ柵ビーム２を取付けるようになされている点であり、本形態の柵のビーム取付構造は、主として連設される柵の最端部において用いられるものである。なお、本形態における柵ビーム２を支柱１に取付ける方法については、図１に示す上記のものと同様であるので、説明は省略する。
【００２２】
受け金具３Ａは、支柱１の正面壁に取付けられる縦板状の取付部３１Ａより斜め上方に開口する受け部３２Ａが片側に長手方向に延設され、柵ビーム２側面が当接する受け部３２Ａの端部には、柵ビーム取付孔２１に対応する位置に通孔３３Ａが穿設され、取付部３１Ａの中央部には受け金具取付孔３４Ａが穿設されている。
【００２３】
被せ金具４Ａは、支柱１の背面壁に取付けられる縦板状の取付部４１Ａより斜め下方に開口する被せ部４２Ａが長手方向に延設され、柵ビーム２側面が当接する被せ部４２Ａの端部には、柵ビーム取付孔２１に対応する位置に通孔４３Ａが穿設され、取付部４１Ａの中央部には貫通孔４４Ａが穿設されている。また貫通孔４４Ａは、前記受け金具３Ａを支柱１に取付ける受け金具取付ボルト５のボルト頭が通過できる大きさに形成されている。
【００２４】
そして、受け金具３Ａの受け部３２Ａは、柵ビーム２の断面外形形状に対応させるため、側面視斜め略４５°に円筒を切断した半円筒形に形成されている。つまり、受け部３２Ａは斜め上方略４５°に開口している。また被せ金具４Ａの被せ部４２Ａは、柵ビーム２の断面外形形状に対応させるため、受け金具とは逆の側面視斜め略４５°に円筒を切断した半円筒形に形成されている。つまり、被せ部４２Ａは斜め下方略４５°に開口している。
【００２５】
次に図７、図８、図９を用いて、請求項２に記載の発明について説明する。
１は支柱であり、その下部は地中に埋設され適宜間隔で複数本地表に立設される。この支柱１の正面側と背面側の適宜位置に金具取付用ボルト孔１１が相対して同一水準で穿設されている。支柱１の頂部にはキャップ１２が取付られ、見栄えを良くすると共に、雨水などが支柱１の内面に流入するのを防いでいる。支柱１は断面円形状等の適宜断面形状の金属管で作製され、その表面は塗装やメッキ等の処理が施されている。
【００２６】
２は柵ビームであり、複数の支柱１の相対向する側壁間に取付金具である受け金具３Ｂと被せ金具７とを介して架設されている。柵ビーム２の端部側面には相対して同一水準で柵ビーム取付孔２１が穿設されている。柵ビーム２も、一般的に従来から用いられている断面円形状等の適宜断面形状の金属管で作製され、その表面は塗装やメッキ等の処理が施されている。
【００２７】
取付金具は前記の如く、受け金具３Ｂと被せ金具７で構成されている。受け金具３Ｂは、支柱１の背面壁に当接する縦板状の取付部３１Ｂより斜め上方に開口する受け部３２Ｂが両側に長手方向に延設され、柵ビーム２側面が当接する受け部３２Ｂの端部には、柵ビーム取付孔２１に対応する位置に通孔３３Ｂがそれぞれ穿設され、取付部３１の中央部には受け金具取付孔３４Ｂが穿設されている。
【００２８】
被せ金具７は、支柱１の正面側に取付けられる縦壁部７１より斜め下方に開口する被せ部７２が長手方向に延設され、柵ビーム２側面が当接する被せ部７２には、柵ビーム取付孔２１に対応する位置に通孔７３がそれぞれ穿設されている。なお、図１、図４に示す被せ金具４、４Ａとは異なり、本形態に示す被せ金具７には、受け金具３Ｂを支柱１の背面壁に取付ける受け金具取付ボルト５が通る孔は形成されていない。つまり、縦壁部７１を孔無しとすることにより、金具取付ボルト５の頭部の上に覆い被さるように取付けられ、ボルト頭を隠蔽するようになされている。また縦壁部７１は、金具取付ボルト５頭部の高さ分、支柱１の側面から離間した位置に固定されるように形成しているので、その隙間を覆うために、縦壁部７１の上下端は支柱１の正面壁近傍まで折曲されて形成されている。
【００２９】
そして受け金具３Ｂの受け部３２Ｂは、柵ビーム２の断面外形形状に対応させるため、側面視斜め略４５°に円筒を切断した半円筒形に形成されている。つまり、受け部３２Ｂは斜め上方略４５°に開口している。また被せ金具７の被せ部７２は、柵ビーム２の断面外形形状に対応させるため、受け金具とは逆の側面視斜め略４５°に円筒を切断した半円筒形に形成されている。つまり、被せ部７２は斜め下方略４５°に開口している。
【００３０】
次に、柵ビーム２を支柱１に取付ける方法について説明する。
図７（ａ）に示す通り、まず、支柱１の正面側に穿設された金具取付用ボルト孔１１から受け金具取付ボルト５を挿通し、支柱１を貫通して背面側に穿設された金具取付用ボルト孔１１を通して支柱１を貫通し、支柱１の背面壁に当接させた受け金具３Ｂの取付部３１Ｂの中央部に穿設した受け金具取付孔３４Ｂに受け金具取付ボルト５を挿通して、ワッシャＷとナットＮ１とで螺着し、受け金具３を支柱１の背面壁に締結する。
【００３１】
続いて図７（ｂ）に示す通り、受け金具３Ｂの取付部３１Ｂの両側に延設した受け部３２Ｂに２本の柵ビーム２を水平方向から載置して、柵ビーム２の仮置きが完了する。この時、上記の如く、受け金具３Ｂの受け部３２Ｂを、柵ビーム２の断面外形形状に対応するように、側面視斜め略４５°に円筒を切断した半円筒形に形成しているので、受け部３２Ｂに載置した柵ビーム２が転がり落ちるのを防ぐことができる。そして、被せ金具７の被せ部７２を上方又は水平方向から柵ビーム２に被せて、被せ金具７の被せ部７２の端部に穿設された通孔７３と柵ビーム取付孔２１と受け金具３Ｂの受け部３２Ｂの端部に穿設された通孔３３Ｂとを水平方向に貫通するように、固定ボルト６を挿通してワッシャＷとナットＮとを螺着し、柵ビーム２は受け金具３Ｂ及び被せ金具７を介して支柱１に取付けられる。そして柵ビーム２の端部は、受け金具３Ｂと被せ金具７とで囲繞された状態で固定される。
【００３２】
なお、本形態に示す受け金具３Ｂの支柱１への取付けにおいて、支柱１の正面側から受け金具取付ボルト５を金具取付用ボルト孔１１に挿通し、受け金具３Ｂを支柱１に締結しているが、支柱１の背面側から受け金具取付ボルト５を金具取付用ボルト孔１１に挿通し、受け金具３Ｂを支柱１に締結するようにしてもよい。この場合には、受け金具取付ボルト５に締結されるナットＮ１が、被せ金具７の縦壁部７１によって隠蔽される。
【００３３】
かような柵のビーム取付構造としているので、上述の如く、受け金具３を支柱１に固定した状態で、柵ビーム２を受け部３２Ｂに仮置きすることができ、作業者一人で柵の施工を実施することができるのに加えて、作業者は被せ金具７及び柵ビーム２の固定作業を両手で行うことができるので、その作業効率も格段に向上され、また、柵ビーム２を受け金具３Ｂの受け部３２Ｂに仮置きする際、柵ビーム２を受け金具３に対して水平方向から載置することができ、柵ビーム２を受け金具３Ｂの受け部３２Ｂの上方まで持ち上げて載置する必要が無く、労力も手間もかからず簡単に柵ビーム２を受け金具３Ｂの受け部３２Ｂに仮置きすることができるのに加えて、受け金具取付ボルト５の一端が隠蔽されるので、例えば歩道と車道間に柵を設置した場合、歩道利用者が受け金具取付ボルト５の突起に当たってケガをするのを防止することができ、また外観の向上を図ることができ好ましい。
【産業上の利用可能性】
【００３４】
本発明に係る柵のビーム取付構造によれば、取付金具は柵ビームの端部を受ける受け金具と該受け金具に被せられる被せ金具とからなり、前記受け金具には支柱の正面壁に取付けられる縦板状の取付部より斜め上方に開口する受け部を長手方向に延設させ、前記被せ金具には支柱の背面壁に取付けられる縦板状の取付部より斜め下方に開口する被せ部を長手方向に延設させ、柵ビームの端部を前記受け金具の受け部で受けると共に、その上に被せ金具の被せ部を斜め上方又は水平方向から被せるようになしているため、受け金具を支柱に固定した状態で、柵ビームを受け部に仮置きすることができるので、作業者一人で柵の施工を実施することができるのに加えて、作業者は被せ金具及び柵ビームの固定作業を両手で行うことができるので、その作業効率も格段に向上できる柵のビーム取付構造として、好適に利用することができる。
【図面の簡単な説明】
【００３５】
【図１】請求項１に記載の発明に係る柵のビーム取付構造の実施の一形態を示す分解斜視図である。
【図２】図１に示す取付金具のうち受け金具の、（イ）は正面図、（ロ）は側面図、（ハ）は平面図である。
【図３】図１に示す取付金具のうち被せ金具の、（イ）は正面図、（ロ）は側面図、（ハ）は平面図である。
【図４】本発明に係る柵のビーム取付構造の別の実施形態を示す分解斜視図である。
【図５】図４に示す取付金具のうち受け金具の、（イ）は正面図、（ロ）は側面図、（ハ）は平面図である。
【図６】図４に示す取付金具のうち被せ金具の、（イ）は正面図、（ロ）は側面図、（ハ）は平面図である。
【図７】請求項２に記載の発明に係る柵のビーム取付構造の実施の一形態を説明する分解斜視図である。
【図８】図７に示す取付金具のうち受け金具の、（イ）は正面図、（ロ）は側面図、（ハ）は平面図である。
【図９】図７に示す取付金具のうち被せ金具の、（イ）は正面図、（ロ）は側面図、（ハ）は平面図である。
【符号の説明】
【００３６】
１    支柱
１１  金具取付用ボルト孔
１２  キャップ
２    柵ビーム
２１  柵ビーム取付孔
３、３Ａ、３Ｂ    受け金具
３１、３１Ａ、３１Ｂ  取付部
３２、３２Ａ、３２Ｂ  受け部
３３、３３Ａ、３３Ｂ  通孔
３４、３４Ａ、３４Ｂ  受け金具取付孔
４    被せ金具
４１、４１Ａ  取付部
４２、４２Ａ  被せ部
４３、４３Ａ  通孔
４４、４４Ａ  貫通孔
５    受け金具取付ボルト
６    固定ボルト
７    被せ金具
７１  縦壁部
７２  被せ部
７３  通孔
【図１】
2008031824.tif 000003
【図２】
2008031824.tif 000004
【図３】
2008031824.tif 000005
【図４】
2008031824.tif 000006
【図５】
2008031824.tif 000007
【図６】
2008031824.tif 000008
【図７】
2008031824.tif 000009
【図８】
2008031824.tif 000010
【図９】
2008031824.tif 000011